(57)【要約】【課題】適切に比較して信頼性の高い画像検査を行うことができる画像形成装置及びプログラムを提供する。【解決手段】画像形成装置は、ラスター画像処理されたラスターデータに画像処理を行った印刷画像データに基づき、用紙に画像を形成する画像形成部４１と、画像形成部４１により印刷画像データに基づき用紙に形成された画像を読み取って補正前読取画像データを取得する画像読取部７６と、ラスターデータと、画像読取部７６で取得された補正前読取画像データから生成される読取画像データとを比較することで用紙に形成された画像の印刷状態を検査する制御部と、を含む。制御部は、用紙に形成された画像の印刷状態を検査する場合、ラスターデータに行った画像処理により調整した調整量を相殺する。【選択図】図２
2019095476.tif 000002
【特許請求の範囲】
【請求項１】
ラスター画像処理されたラスターデータに画像処理を行った印刷画像データに基づき、用紙に画像を形成する画像形成部と、
前記画像形成部により前記印刷画像データに基づき前記用紙に形成された画像を読み取って補正前読取画像データを取得する画像読取部と、
前記ラスターデータと、前記画像読取部で取得された補正前読取画像データから生成される読取画像データとを比較することで前記用紙に形成された画像の印刷状態を検査する制御部と、
を備え、
前記制御部は、
前記用紙に形成された画像の印刷状態を検査する場合、前記ラスターデータに行った前記画像処理により調整した調整量を相殺する、
画像形成装置。
【請求項２】
前記制御部は、
前記ラスターデータを前記印刷画像データに調整する画像処理情報から求めた補正情報に基づき、前記画像読取部により取得された前記補正前読取画像データを前記読取画像データに補正するものであり、
前記読取画像データは、
前記補正前読取画像データから前記画像処理により調整した調整量が相殺されている、
請求項１に記載の画像形成装置。
【請求項３】
前記制御部は、
前記ラスターデータを前記印刷画像データに調整する画像処理情報から求めた補正情報に基づき前記ラスターデータを補正した印刷時予想データと、前記読取画像データとを比較する、
請求項１に記載の画像形成装置。
【請求項４】
前記用紙に形成された画像の印刷状態を検査するときの処理の優先順位を含む設定条件が設定され、
前記制御部は、
ＣＰＵ、
を備え、
前記ラスターデータを前記印刷画像データに調整する画像処理情報から求めた補正情報に基づき、前記ＣＰＵの利用状況又は前記設定条件に応じて、前記補正前読取画像データ及び前記ラスターデータの何れか一方を補正する、
請求項１に記載の画像形成装置。
【請求項５】
前記制御部は、
前記用紙に形成された画像の印刷状態を検査する場合、前記画像処理情報が送信される、
請求項２〜４の何れか一項に記載の画像形成装置。
【請求項６】
前記制御部は、
前記用紙に形成された画像の印刷状態に異常があると判定する場合、判定された異常領域における前記読取画像データと前記ラスターデータとの画像特徴量の差異に基づき、前記補正情報を補正して二次補正情報を求める、
請求項２〜４の何れか一項に記載の画像形成装置。
【請求項７】
前記制御部は、
前記異常領域における前記ラスターデータと、前記二次補正情報に基づき前記読取画像データを補正した二次読取画像データを比較する、
請求項６に記載の画像形成装置。
【請求項８】
前記制御部は、
前記異常領域が一定サイズ範囲を超える、前記異常領域が一定数以上である、及び前記異常領域における前記読取画像データと前記ラスターデータとの画像特徴量の差異が一定値以上である、の少なくとも１つを満たす場合、前記用紙に形成された画像の印刷状態に異常があると決定する、
請求項６又は７に記載の画像形成装置。
【請求項９】
コンピュータに、
ラスター画像処理されたラスターデータに画像処理を行った印刷画像データに基づき、用紙に画像を形成する画像形成機能と、
前記画像形成機能により前記印刷画像データに基づき前記用紙に形成された画像を読み取って補正前読取画像データを取得する画像読取機能と、
前記ラスターデータと、前記画像読取機能で取得された補正前読取画像データから生成される読取画像データとを比較することで前記用紙に形成された画像の印刷状態を検査する制御機能と、
を実現させるためのプログラムであって、
前記制御機能では、
前記用紙に形成された画像の印刷状態を検査する場合、前記ラスターデータに行った前記画像処理により調整した調整量を相殺する、
プログラム。
【発明の詳細な説明】
【技術分野】
【０００１】
本開示は、画像形成装置及びプログラムに関する。
【背景技術】
【０００２】
ＭＦＰ（Ｍｕｌｔｉ−Ｆｕｎｃｔｉｏｎａｌ  Ｐｅｒｉｐｈｅｒａｌｓ）等のような画像形成装置は、電子写真方式により画像を形成する画像形成部において画像情報に基づき感光体のような像担持体上にトナー像を形成し、形成したトナー像を用紙に転写する。このような画像形成において、画像形成装置の稼働状況によっては画像形成部の状態が変化して画像品質が変化することがある。そこで、印刷物の品質を維持するため、画像形成部に入力される画像と、画像形成部により用紙上に形成される画像の読取結果である読取画像とを比較して、印刷物の仕上がりを検査するものが提案されている（例えば、特許文献１参照）。
【先行技術文献】
【特許文献】
【０００３】
【特許文献１】特開２０１６−１８０８５６号公報
【発明の概要】
【発明が解決しようとする課題】
【０００４】
しかし、特許文献１に記載のような従来技術は、ＲＩＰ処理後の画像である原画像と、用紙上に形成された原画像の読取画像とを比較して印刷物の仕上がりを検査するものである。よって、ＲＩＰ処理後に画像処理を行ってから用紙に画像を形成する場合、基準画像となる原画像にはＲＩＰ処理後に行われる画像処理が反映されていない。したがって、特許文献１に記載のような従来技術においては、信頼性の高い画像検査が行われない恐れがある。
【０００５】
本開示はこのような状況に鑑みてなされたものであり、信頼性の高い画像検査を行うことができるようにするものである。
【課題を解決するための手段】
【０００６】
本開示の第１の側面である画像形成装置は、ラスター画像処理されたラスターデータに画像処理を行った印刷画像データに基づき、用紙に画像を形成する画像形成部と、前記画像形成部により前記印刷画像データに基づき前記用紙に形成された画像を読み取って補正前読取画像データを取得する画像読取部と、前記ラスターデータと、前記画像読取部で取得された補正前読取画像データから生成される読取画像データとを比較することで前記用紙に形成された画像の印刷状態を検査する制御部と、を備え、前記制御部は、前記用紙に形成された画像の印刷状態を検査する場合、前記ラスターデータに行った前記画像処理により調整した調整量を相殺する。
【０００７】
また、前記制御部は、前記ラスターデータを前記印刷画像データに調整する画像処理情報から求めた補正情報に基づき、前記画像読取部により取得された前記補正前読取画像データを前記読取画像データに補正するものであり、前記読取画像データは、前記補正前読取画像データから前記画像処理により調整した調整量が相殺されている、ことが好ましい。
【０００８】
また、前記制御部は、前記ラスターデータを前記印刷画像データに調整する画像処理情報から求めた補正情報に基づき前記ラスターデータを補正した印刷時予想データと、前記読取画像データとを比較する、ことが好ましい。
【０００９】
また、前記用紙に形成された画像の印刷状態を検査するときの処理の優先順位を含む設定条件が設定され、前記制御部は、ＣＰＵ、を備え、前記ラスターデータを前記印刷画像データに調整する画像処理情報から求めた補正情報に基づき、前記ＣＰＵの利用状況又は前記設定条件に応じて、前記補正前読取画像データ及び前記ラスターデータの何れか一方を補正する、ことが好ましい。
【００１０】
また、前記制御部は、前記用紙に形成された画像の印刷状態を検査する場合、前記画像処理情報が送信される、ことが好ましい。
【００１１】
また、前記制御部は、前記用紙に形成された画像の印刷状態に異常があると判定する場合、判定された異常領域における前記読取画像データと前記ラスターデータとの画像特徴量の差異に基づき、前記補正情報を補正して二次補正情報を求める、ことが好ましい。
【００１２】
また、前記制御部は、前記異常領域における前記ラスターデータと、前記二次補正情報に基づき前記読取画像データを補正した二次読取画像データを比較する、ことが好ましい。
【００１３】
また、前記制御部は、前記異常領域が一定サイズ範囲を超える、前記異常領域が一定数以上である、及び前記異常領域における前記読取画像データと前記ラスターデータとの画像特徴量の差異が一定値以上である、の少なくとも１つを満たす場合、前記用紙に形成された画像の印刷状態に異常があると決定する、ことが好ましい。
【００１４】
また、本開示の第２の側面であるプログラムは、コンピュータに、ラスター画像処理されたラスターデータに画像処理を行った印刷画像データに基づき、用紙に画像を形成する画像形成機能と、前記画像形成機能により前記印刷画像データに基づき前記用紙に形成された画像を読み取って補正前読取画像データを取得する画像読取機能と、前記ラスターデータと、前記画像読取機能で取得された補正前読取画像データから生成される読取画像データとを比較することで前記用紙に形成された画像の印刷状態を検査する制御機能と、を実現させるためのプログラムであって、前記制御機能では、前記用紙に形成された画像の印刷状態を検査する場合、前記ラスターデータに行った前記画像処理により調整した調整量を相殺する。
【００１５】
よって、上記に記載の画像形成装置の場合と同様に、信頼性の高い画像検査を行うことができる。
【発明の効果】
【００１６】
本開示の第１及び第２の側面によれば、信頼性の高い画像検査を行うことができる。
【図面の簡単な説明】
【００１７】
【図１】本開示を適用した実施形態１における画像形成装置１の全体構成例を示す図である。
【図２】本開示を適用した実施形態１における各種データの流れを説明する図である。
【図３】本開示を適用した実施形態１における各種制御例を説明するフローチャートである。
【図４】本開示を適用した実施形態２における各種データの流れを説明する図である。
【図５】本開示を適用した実施形態２における各種制御例を説明するフローチャートである。
【図６】本開示を適用した実施形態３における切り替え処理の一例を説明するフローチャートである。
【図７】本開示を適用した実施形態４における補正情報通知処理の一例を説明するフローチャートである。
【図８】本開示を適用した実施形態５における二次判定処理の一例を説明するフローチャートである。
【発明を実施するための形態】
【００１８】
以下、図面に基づいて本開示の実施形態を説明するが、本開示は以下の実施形態に限られるものではない。
【００１９】
実施形態１．
図１は、本開示を適用した実施形態１における画像形成装置１の全体構成例を示す図である。図１に示すように、画像形成装置１は、画像形成装置本体５と、画像読取装置７と、後処理装置９とを備える。画像形成装置本体５には、端末装置の一例であるクライアントＰＣ２が、ネットワーク等の通信回線３を介して接続されている。クライアントＰＣ２は、画像形成装置本体５に印刷データを送信する。画像形成装置本体５は、クライアントＰＣ２が送信する印刷データを通信回線３を介して受信し、受信した印刷データに基づき、印刷を行う。後処理装置９は、画像が形成されている用紙に穴開け等の後処理を行う。後処理装置９は、画像が形成されている用紙に除電等の後処理を行ってもよい。画像形成装置本体５の上部には、読取部１１が設けられている。読取部１１は、ＡＤＦ１１Ａと、原稿読取部１１Ｂとを備える。ＡＤＦ１１Ａは、原稿トレイ１３、通紙経路１５、排紙トレイ１７、密着型イメージセンサー２１、及び濃度基準部材２３等を備える。濃度基準部材２３は、ＡＤＦ１１Ａのシェーディング補正時に利用される。原稿読取部１１Ｂは、原稿照明部２５、反射ミラー２６、集光レンズ２７、センサー２８、及びプラテンガラス２９等を備える。読取部１１は、原稿トレイ１３にセットされている原稿を、１枚ずつ分離して繰り出し、密着型イメージセンサー２１が配置されている通紙経路１５に沿って副走査方向に搬送し、排紙トレイ１７に排紙する。原稿照明部２５は、ランプ２５Ａと、ミラー２５Ｂとを備える。原稿は通紙経路１５に沿って副走査方向に搬送されつつ、主走査方向のライン単位の読取動作が、原稿照明部２５、反射ミラー２６、集光レンズ２７、及びセンサー２８により繰り返し実行される。
【００２０】
画像形成装置本体５は、画像形成部４１、定着部４３、及び給紙部４５等を備える。画像形成部４１は、露光装置５１と、現像装置５３と、感光ドラム５５と、転写ベルト５７とを備える。画像形成部４１は、読取部１１により読み取られた原稿の画像データに基づき、露光装置５１により感光ドラム５５に異なる色のトナーを供給して現像する。画像形成部４１は、転写ベルト５７により感光ドラム５５に現像されたトナー像を給紙部４５から供給された用紙に転写する。画像形成部４１は、用紙に転写されたトナー像のトナーを定着部４３で融解させることにより、用紙にカラー画像が定着する。画像読取装置７は、画像形成装置本体５の後段側にインライン方式で配置され、画像が形成されている用紙の片面又は両面に印刷された画像を読み取る。なお、以下の説明では、インライン方式で配置されている画像読取装置７を前提とするが、画像読取装置７は、画像形成装置本体５の後段側にオフライン方式で配置されてもよい。
【００２１】
画像読取装置７は、画像読取部７６Ａ、画像読取部７６Ｂ、測色計７８、背景部材７４Ａ〜７４Ｃ、搬送部７２、及び搬送経路７１を備える。搬送経路７１は、用紙が通過する経路である。搬送部７２は、画像が形成されている用紙を搬送する。よって、搬送経路７１は、搬送部７２の駆動により用紙が搬送される。画像読取装置７は、例えば、画像形成装置本体５から供給された用紙を受け取ると、用紙に形成された画像を画像読取部７６Ａ，７６Ｂ及び測色計７８に読み取らせる。画像の読取結果は、画像形成装置本体５等に出力されてもよい。具体的には、画像読取部７６Ａ及び画像読取部７６Ｂのそれぞれは、搬送経路７１を通紙する用紙の表裏の何れか一方と対向する位置に配置されている。画像読取部７６Ａは、用紙の裏面を読み取る位置に配置されている。画像読取部７６Ａの読取結果は、例えば、用紙に印刷された画像の表裏面のずれのチェック、又は想定外の画像の有無等のチェックに利用されてもよい。一方、画像読取部７６Ｂは、用紙の表面を読み取る位置に配置されている。具体的には、画像読取部７６Ｂは、用紙に印刷された画像を読み取るものである。画像読取部７６Ｂは、用紙が搬送されるにつれ、用紙の進行方向に直交する直交方向、すなわち主走査方向に沿って、用紙に形成された画像の色を読み取る。なお、画像読取部７６Ａ及び画像読取部７６Ｂを総称する場合、画像読取部７６と称する。画像読取部７６は、例えばスキャナーから構成される。背景部材７４Ａ〜７４Ｃを総称する場合、背景部材７４と称する。
【００２２】
画像形成装置本体５は、制御部１０１を備える。制御部１０１は、不図示のＲＯＭ、ＲＡＭ、ＣＰＵ、Ｉ／Ｏインターフェース、及び記憶部を備える。ＣＰＵは、ＲＯＭから処理内容に応じてプログラムを読み出してＲＡＭに展開し、展開したプログラムと協働して画像形成装置本体５の動作を制御する。記憶部は、例えばフラッシュメモリ等のような不揮発性の半導体メモリ又はハードディスクドライブで実現され、各種データが格納されている。記憶部に格納されている各種データは、ＣＰＵが画像形成装置本体５の動作を制御するときに参照される。制御部１０１は、画像形成部４１、定着部４３、及び給紙部４５等を制御する。画像読取装置７は、制御部１１１を備える。制御部１１１は、不図示のＲＯＭ、ＲＡＭ、ＣＰＵ、Ｉ／Ｏインターフェース、及び記憶部を備える。ＣＰＵは、ＲＯＭから処理内容に応じてプログラムを読み出してＲＡＭに展開し、展開したプログラムと協働して画像読取装置７の動作を制御する。記憶部は、例えばフラッシュメモリ等のような不揮発性の半導体メモリ又はハードディスクドライブで実現され、各種データが格納されている。記憶部に格納されている各種データは、ＣＰＵが画像読取装置７の動作を制御するときに参照される。制御部１１１は、搬送部７２、背景部材７４、画像読取部７６、及び測色計７８等を制御する。
【００２３】
図２は、本開示を適用した実施形態１における各種データの流れを説明する図である。図２は、具体的には、画像形成装置本体５で受信した印刷データの画像を保存し、印刷するために画像処理の一例として濃度補正処理を実行してから印刷を実行する処理を説明する。画像形成装置本体５は、受信部２０１、ラスター画像生成部２１１、画像処理部２１２、及び画像形成部４１を備える。ラスター画像生成部２１１及び画像処理部２１２は、制御部１０１が備えるＣＰＵが各種プログラムを実行することにより実現される機能の一部である。受信部２０１は、図１のクライアントＰＣ２から印刷データを受信し、画像形成装置本体５内で処理するデータ形成に変換する。印刷データは、データ構造として、例えば、ＰＪＬ（Ｐｒｉｎｔ  Ｊｏｂ  Ｌａｎｇｕａｇｅ）部分と、それに続くＰＤＬ（Ｐａｇｅ  Ｄｅｓｃｒｉｐｔｉｏｎ  Ｌａｎｇｕａｇｅ）部分とを含む。ＰＪＬ部分は、画像形成装置本体５を制御する印刷用コマンド言語である。ＰＤＬ部分は、ページ記述言語である。
【００２４】
ラスター画像生成部２１１は、クライアントＰＣ２で生成された印刷データを画像形成装置本体５で印刷できるようにスクリーン処理、すなわち網点化するラスター画像処理である。ラスター画像処理、すなわちＲＩＰ処理は、ラスターデータを生成する。ラスターデータはラスタライズ済み画像のデータであって、いわゆるＲＩＰ画像を構成する画像データである。画像処理部２１２は、印刷データからラスター画像処理されたラスターデータにさらに画像補正を行う処理を実行する。例えば、通常時の画像データに含まれる濃度情報を微調整することで出力濃度を補正する。このような補正は、例えば、ユーザーの好みに合わせて補正するものである。具体的には、ＲＧＢデータのうち例えばＧだけを少なくする、又は色味を明るく鮮鋭化させるような画像処理である。このような画像処理は、印刷データに基づき用紙に画像を形成した印刷物をサンプル出力して確認した結果、例えば、トーンカーブ調整等により、最終的な色味を画像形成装置本体５で微調整する場合等に実行することが想定される。このような想定の場合、通常、画像形成装置本体５で指示された濃度補正のような画像処理は、ＲＩＰ処理後に実行されるため、画像読取装置７で読み取った画像をＲＩＰ画像とそのまま比較するとヤレと判断される。
【００２５】
そこで、図２に示すように、画像読取装置７は、画像処理情報取得部２２１、演算部２２２、画像処理部２２３、画像比較部２２４、及び通知部２３１を備える。画像処理情報取得部２２１、演算部２２２、画像処理部２２３、及び画像比較部２２４は、制御部１１１が備えるＣＰＵが各種プログラムを実行することにより実現される機能の一部である。画像処理情報取得部２２１は、画像処理情報として、例えば濃度補正情報を取得する。濃度補正情報には、微調整された出力濃度補正情報が含まれる。演算部２２２は、画像処理後の濃度情報である濃度補正情報と、通常時すなわちデフォルトの濃度情報とを比較し、デフォルトの濃度情報と画像処理後の濃度情報である濃度補正情報とのズレ量を求める。演算部２２２は、求めたズレ量に基づき、補正情報として、読取濃度補正値を求める。読取濃度補正値は、ゲイン又はオフセット値等から構成される。読取濃度補正値は、画像読取部７６により読み取られた補正前読取画像データに、画像形成装置本体５での微調整結果を反映させるデータである。
【００２６】
例えば、補正前読取画像データは、通常時から＋１０だけ濃度がずれている情報であることが濃度補正情報から求められた場合を想定する。この想定の場合、補正前読取画像データの濃度が−１０されるように読取濃度補正値が設定されればよい。つまり、画像処理部２２３は、読取濃度補正値と、補正前読取画像データとに基づき、読取画像データを生成する。よって、読取画像データは、受信した印刷データに近い濃度の状態となる。画像比較部２２４は、読取画像データと、ラスターデータとを比較し、異常があるか否かを判定する。画像比較部２２４は、具体的には、読取画像データを構成するそれぞれの画素値と、ラスターデータを構成するそれぞれの画素値との差分が、予め設定された値以上であるか否かを判定することで、異常であるか否かを判定する、すなわち、ヤレの検知が実行される。なお、以降の説明において、画像処理として濃度補正の一例について説明するが、特にこれに限定されず、スクリーン処理又は解像度若しくは輝度値の補正処理のように、その他の画像処理による補正であってもよい。
【００２７】
図３は、本開示を適用した実施形態１における各種制御例を説明するフローチャートである。ステップＳ１１〜ステップＳ１５の処理は、画像形成装置本体５で実行されるものである。ステップＳ１１において、制御部１０１は、印刷データを受信する。ステップＳ１２において、制御部１０１は、受信した印刷データをラスター画像処理する。ステップＳ１３において、制御部１０１は、ラスター画像処理したラスターデータを保存する。ステップＳ１４において、制御部１０１は、ラスターデータに画像処理を行う。ステップＳ１５において、制御部１０１は、画像処理を行ったものを印刷画像データとして用紙に画像を形成する。
【００２８】
ステップＳ３１〜ステップＳ３９の処理は、画像読取装置７で実行されるものである。ステップＳ３１において、制御部１１１は、ラスターデータが画像処理されたときの画像処理情報を取得する。ステップＳ３２において、制御部１１１は、画像処理情報に基づき補正情報を求める。ステップＳ３３において、制御部１１１は、用紙に形成された画像を読み取る。ステップＳ３４において、制御部１１１は、補正情報に基づき画像の読取結果を補正する。ステップＳ３５において、制御部１１１は、補正した画像の読取結果を読取画像データとして保存する。ステップＳ３６において、制御部１１１は、読取画像データに対応するラスターデータを取得する。ステップＳ３７において、制御部１１１は、ラスターデータと読取画像データとを比較する。ステップＳ３８において、制御部１１１は、異常があるか否かを判定する。制御部１１１は、異常があると判定する場合（ステップＳ３８；Ｙ）、ステップＳ３９の処理に移行する。制御部１１１は、異常がないと判定する場合（ステップＳ３８；Ｎ）、異常を意味するＮＧ通知を行わない。制御部１１１は、異常があると判定する場合（ステップＳ３８；Ｙ）、ステップＳ３９の処理に移行し、ステップＳ３９において、制御部１１１は、異常を意味するＮＧ通知を行う。なお、ＮＧ通知とは、ユーザー又はメンテナンスを行う作業者等に異常を意味する旨が通知されればよく、その通知形態は特に限定されない。例えば、制御部１１１が制御部１０１にその旨を通知し、画像形成装置本体５の不図示の表示パネルにその旨が通知されてもよい。
【００２９】
以上の説明から、実施形態１においては、制御部１０１は、ラスターデータと、読取画像データとを比較することで用紙に形成された画像の印刷状態を検査する場合、ラスターデータに行った画像処理により調整した調整量を相殺する。よって、印刷画像データに基づき用紙に形成された画像が画像処理が行われたものであって、その画像処理が行われた画像を画像読取部７６が読み取るものであったとしても、画像処理により調整した調整量が相殺されているため、画像処理が行われる前の状態で、ラスターデータと、読取画像データとを比較することができる。したがって、適切に比較して信頼性の高い画像検査を行うことができる。
【００３０】
また、実施形態１において、読取画像データは、補正前読取画像データから画像処理により調整した調整量が相殺されている。よって、補正前読取画像データがラスター画像処理後に画像処理された画像を読み取ったデータであったとしても、ラスターデータとの比較対象となる読取画像データにはその画像処理により調整した調整量が相殺されていることにより、読取画像データは、印刷データに近い濃度の状態になるため、ヤレの検知を正確に行うことができる。
【００３１】
実施形態２．
実施形態２において、実施形態１と同様の構成及び機能についての説明は省略する。実施形態２では、画像形成装置１の構成については同様であるが、画像形成装置本体５及び画像読取装置７内部におけるデータの流れの一部が実施形態１と異なる。具体的には、受信部２０１、ラスター画像生成部２１１、画像処理部２１２、及び画像形成部４１の機能は実施形態１と同様であるのでその説明については省略する。また、画像読取部７６及び通知部２３１の機能は実施形態１と同様であるのでその説明については省略する。図４は、本開示を適用した実施形態２における各種データの流れを説明する図である。図４に示すように、画像形成装置本体５は、画像処理情報取得部２４１、演算部２４２、及び予想画像処理部２４３の機能が制御部１０１により実現される。画像処理情報取得部２４１は、画像処理情報として、例えば濃度補正情報を取得する。濃度補正情報には、微調整された出力濃度補正情報が含まれる。演算部２４２は、画像処理後の濃度情報である濃度補正情報と、通常時すなわちデフォルトの濃度情報とを比較し、画像処理後の濃度情報である濃度補正情報とデフォルトの濃度情報とのズレ量を求める。演算部２４２は、求めたズレ量に基づき、補正情報として、出力濃度補正値を求める。出力濃度補正値は、ゲイン又はオフセット値等から構成され、ラスター画像生成部２１１により生成されたラスターデータに、画像処理部２１２での微調整結果を反映させるデータである。
【００３２】
例えば、印刷画像データは、通常時から＋１０だけ濃度がずれている情報が濃度補正情報から求められた場合を想定する。この想定の場合、印刷時予想画像データの濃度が＋１０されるように出力濃度補正値が設定されればよい。よって、印刷時予想画像データは、印刷画像データに近い濃度の状態となる。画像処理部２２３は、補正処理が行われた画像が読み取られた補正前読取画像データに通常の入力濃度補正を行い、読取画像データを生成する。画像比較部２２４は、印刷時予想画像データと、読取画像データとを比較し、異常があるか否かを判定する。画像比較部２２４は、具体的には、印刷時予想画像データを構成するそれぞれの画素値と、読取画像データを構成するそれぞれの画素値との差分が、予め設定された値以上であるか否かを判定することで、異常であるか否かを判定する、すなわち、ヤレの検知が実行される。
【００３３】
図５は、本開示を適用した実施形態２における各種制御例を説明するフローチャートである。図５のステップＳ５１〜Ｓ５５の処理は、図１のステップＳ１１〜Ｓ１５の処理と同様であるので、その説明については省略する。図５のステップＳ７５及びＳ７６の処理は、図１のステップＳ３８及びＳ３９の処理と同様であるので、その説明については省略する。ステップＳ５６において、制御部１０１は、ラスターデータが画像処理されたときの画像処理情報を取得する。ステップＳ５７において、制御部１０１は、画像処理情報に基づき補正情報を求める。ステップＳ５８において、制御部１０１は、補正情報に基づき印刷時予想画像データを生成する。ステップＳ７１において、制御部１１１は、用紙に形成された画像を読み取る。ステップＳ７２において、制御部１１１は、画像の読取結果を読取画像データとして保存する。なお、ステップＳ７２では、より具体的には、画像の読取結果である補正前読取画像データが通常の入力濃度補正されたものが読取画像データとして保存される。ステップＳ７３において、制御部１１１は、読取画像データに対応する印刷時予想画像データを取得する。ステップＳ７４において、制御部１１１は、印刷時予想画像データと読取画像データとを比較する。
【００３４】
以上の説明から、実施形態２においては、制御部１０１は、ラスターデータを印刷画像データに調整する画像処理情報から求めた補正情報に基づきラスターデータを補正した印刷時予想データと、読取画像データとを比較する。よって、補正前読取画像データがラスター画像処理後に画像処理された画像を読み取ったデータであったとしても、補正前読取画像から生成される読取画像データとの比較対象となる印刷時予想データにはその画像処理により調整した調整量が反映されている。したがって、印刷時予想データは、印刷画像データに近い濃度の状態になるため、ヤレ検知を正確に行うことができる。
【００３５】
実施形態３．
実施形態３において、実施形態１，２と同様の構成及び機能についての説明は省略する。実施形態３では、画像形成装置１の構成については同様である。実施形態３では、画像読取側で補正情報に基づき補正処理を実行する場合と、画像形成側で補正情報に基づき補正処理を実行する場合とを切り替える制御構成について説明する。用紙に形成された画像の印刷状態を検査するときの処理の優先順位を含む設定条件が設定されている。設定条件は、例えば、ヤレを検知する速度を優先する場合、画像読取装置７による補正処理が実行される。具体的には、補正情報に基づき、画像の読取結果である補正前読取画像データが読取画像データに補正される。設定条件は、例えば、ヤレを検知する品質を優先する場合、画像形成装置本体５による補正処理が実行される。具体的には、補正情報に基づき、ラスターデータから印刷時予想画像データを生成する。
【００３６】
また、画像形成装置本体５が備えるＣＰＵの利用状況に応じて切り替えてもよい。例えば、ＣＰＵの利用状況が閾値以上であれば、補正情報に基づき、画像の読取結果である補正前読取画像データが読取画像データに補正される。ＣＰＵの利用状況が閾値未満であれば、補正情報に基づき、ラスターデータから印刷時予想画像データを生成する。閾値は例えば７０％である。図６は、本開示を適用した実施形態３における切り替え処理の一例を説明するフローチャートである。ステップＳ９１において、制御部１０１は、画像形成装置本体５のＣＰＵ利用状況に応じて切り替えるか否かを判定する。制御部１０１は、画像形成装置本体５のＣＰＵ利用状況に応じて切り替えると判定する場合（ステップＳ９１；Ｙ）、ステップＳ９２の処理に移行する。制御部１０１は、画像形成装置本体５のＣＰＵ利用状況に応じて切り替えないと判定する場合（ステップＳ９１；Ｎ）、ステップＳ９５の処理に移行する。ステップＳ９２において、制御部１０１は、ＣＰＵ利用状況が閾値以上であるか否かを判定する。制御部１０１は、ＣＰＵ利用状況が閾値以上であると判定する場合（ステップＳ９２；Ｙ）、ステップＳ９３の処理に移行する。制御部１０１は、ＣＰＵ利用状況が閾値未満であると判定する場合（ステップＳ９２；Ｎ）、ステップＳ９４の処理に移行する。
【００３７】
ステップＳ９３において、制御部１１１は、画像読取側で補正情報に基づき画像の読取結果を補正する。つまり、ステップＳ９３では、補正前読取画像データが補正される。ステップＳ９４において、制御部１０１は、画像形成側で補正情報に基づきラスターデータから印刷時予想画像データを生成する。つまり、ステップＳ９４では、ラスターデータが補正される。ステップＳ９５において、制御部１０１は、設定条件が設定されているか否かを判定する。制御部１０１は、設定条件が設定されていると判定する場合（ステップＳ９５；Ｙ）、ステップＳ９６の処理に移行する。制御部１０１は、設定条件が設定されていないと判定する場合（ステップＳ９５；Ｎ）、処理を終了する。ステップＳ９６において、制御部１０１は、設定条件が速度優先であるか否かを判定する。制御部１０１は、設定条件が速度優先であると判定する場合（ステップＳ９６；Ｙ）、ステップＳ９３の処理に移行する。制御部１０１は、設定条件が速度優先でないと判定する場合（ステップＳ９６；Ｎ）、ステップＳ９７の処理に移行する。ステップＳ９７において、制御部１０１は、設定条件が品質優先であるか否かを判定する。制御部１０１は、設定条件が品質優先であると判定する場合（ステップＳ９７；Ｙ）、ステップＳ９４の処理に移行する。制御部１０１は、設定条件が品質優先でないと判定する場合（ステップＳ９７；Ｎ）、処理を終了する。
【００３８】
以上の説明から、実施形態３においては、制御部１０１は、ラスターデータを印刷画像データに調整する画像処理情報から求めた補正情報に基づき、ＣＰＵの利用状況又は設定条件に応じて、補正前読取画像データ及びラスターデータの何れか一方を補正する。よって、設定条件に含まれる処理の優先順位に応じて制御を切り替える場合、ユーザーの要望に適した処理を優先的に実行することができる。また、画像形成装置本体５のＣＰＵの利用状況に応じて制御を切り替える場合、資源を有効活用することができる。
【００３９】
実施形態４．
実施形態４において、実施形態１〜３と同様の構成及び機能についての説明は省略する。実施形態４では、補正情報を通知する制御構成について説明する。画像形成装置本体５に保存してある印刷データの印刷結果を確認する出力時、画像読取装置７でヤレの検査を実施する必要がないため、用紙に形成された画像を画像読取装置７により読み取る動作は行わない。このように、画像読取装置７で読み取り動作が実行されない場合、画像形成装置本体５で行った画像処理に関する補正情報を画像読取装置７に通知しない。一方、本印刷実行時、画像読取装置７で読み取り動作を実行する場合、読み取り動作の対象となる印刷物に施した補正情報を画像読取装置７に通知する。これにより、画像読取装置７は、通知された補正情報に基づき入力補正を行って、ヤレの検査を行うことができる。なお、補正情報の通知は、画像形成装置本体５から画像読取装置７に補正情報を送信することにより実行されればよいが、特にこれに限定されない。例えば、クライアントＰＣ２が補正情報を保持している場合、クライアントＰＣ２から画像読取装置７に補正情報が通知されてもよい。また、不図示のサーバーが補正情報を保持している場合についても同様である。
【００４０】
図７は、本開示を適用した実施形態４における補正情報通知処理の一例を説明するフローチャートである。ステップＳ１１１において、制御部１０１は、画像形成装置本体５において印刷画像データの印刷結果を確認するか否かを判定する。制御部１０１は、画像形成装置本体５において印刷画像データの印刷結果を確認すると判定する場合（ステップＳ１１１；Ｙ）、処理を終了する。制御部１０１は、画像形成装置本体５において印刷画像データの印刷結果を確認しないと判定する場合（ステップＳ１１１；Ｎ）、ステップＳ１１２の処理に移行する。ステップＳ１１２において、制御部１０１は、画像読取装置７に印刷結果である用紙に形成された画像を読み取らせるか否かを判定する。制御部１０１は、画像読取装置７に印刷結果である用紙に形成された画像を読み取らせると判定する場合（ステップＳ１１２；Ｙ）、ステップＳ１１３の処理に移行する。制御部１０１は、画像読取装置７に印刷結果である用紙に形成された画像を読み取らせないと判定する場合（ステップＳ１１２；Ｎ）、処理を終了する。制御部１０１は、画像処理情報を画像読取装置７に送信する。つまり、制御部１１１は、用紙に形成された画像の印刷状態を検査する場合、画像処理情報が送信される。
【００４１】
以上の説明から、実施形態４においては、制御部１１１は、用紙に形成された画像の印刷状態を検査する場合、画像処理情報が送信される。よって、画像処理情報が不要な場合には画像処理情報は送信されない。したがって、無駄な通信を削減することができるので、全体として画像形成装置１のハードウェア資源を有効活用でき、生産性を向上させることができる。
【００４２】
実施形態５．
実施形態５において、実施形態１〜４と同様の構成及び機能についての説明は省略する。実施形態５では、異常領域について補正処理をした後に再度異常であるか否かを判定する制御構成について説明する。実施形態１のような処理において、画像読取装置７による読み取り動作により、ヤレではないが補正情報に基づき補正前読取画像データを適切に補正できなかった結果、異常と判定されることがある。そこで、そのような場合には、再度補正を行ってから異常であるか否かを判定することで、ヤレと誤判定するのを防ぐのが好ましい。つまり、実施形態１のような異常であるか否かの判定処理を一次判定として、一次判定で異常と判定した場合、画像読取装置７で読み取った補正前読取画像データのうち、異常部分の領域を特定する。特定した領域において、画像形成装置本体５が受信した印刷データが本当に異常であるか否かを再度判定すなわち二次判定処理を実行する。二次判定処理を実行するために、補正前読取画像データに、画像形成装置本体５で実行された画像処理に対応する画像処理情報、例えば濃度補正情報より増やした値又は減らした値で濃度補正を再度行う。増やした値とするか減らした値とするかは、異常と判定された領域と、ラスターデータとの濃度差により決定すればよい。
【００４３】
例えば、ラスターデータの濃度と、補正前読取画像データの濃度とにおいて、ラスターデータの濃度の方が大きい場合に、画像形成装置本体５で補正した濃度補正情報が例えば＋１０とすると、補正前読取画像データに例えば＋２の濃度補正を行う。＋２とするインクリメント幅は、画像形成装置本体５で補正したときの濃度補正情報から決定すればよい。一方、例えば、ラスターデータの濃度と、補正前読取画像データの濃度とにおいて、補正前読取画像データの濃度の方が大きい場合に、画像形成装置本体５で補正した濃度補正情報が例えば＋１０とすると、補正前読取画像データに例えば−２の濃度補正を行う。なお、インクリメント幅について補足すると、画像形成装置本体５で補正した濃度補正情報が例えば＋１００であれば、ラスターデータ及び補正前読取画像データの何れかを再度濃度補正するときのインクリメント幅は例えば＋２０にすればよい。このように、インクリメント幅は、画像形成装置本体５による濃度補正情報の変動幅に応じて、その範囲内であり、且つ変化がつけられる量に決定すればよい。
【００４４】
なお、次のような場合には上記で説明した二次判定処理を実行せずに異常と判定してもよい。例えば、特定した異常領域の一定サイズ範囲を超える場合には異常と判定すればよい。一定サイズ範囲は、判定する画像データの例えば１／２以上又は１／１０以下の領域である。また、特定した異常領域が一定数以上である場合には異常と判定すればよい。一定数は例えば５個以上である。また、特定した異常領域の読取画像データとラスターデータとの画像特徴量の差異が一定値以上である場合には異常と判定すればよい。画像特徴量は例えば濃度であり、一定値以上とは例えば１００以上である。なお、画像特徴量は、濃度の他に、解像度又は輝度値等であってもよい。つまり、比較する２つの画像データの差異が明確となる指標であればよい。また、ハフ変換等のように写像により画像を他の特徴量に変換した上で比較してもよい。
【００４５】
図８は、本開示を適用した実施形態５における二次判定処理の一例を説明するフローチャートである。なお、ステップＳ１２３、ステップＳ１２４、及びステップＳ１２５のそれぞれの処理は順不同であって、並列実行されてもよい。ステップＳ１２１において、制御部１１１は、異常があるか否かを判定する。制御部１１１は、異常があると判定する場合（ステップS１２１；Ｙ）、ステップＳ１２２の処理に移行する。制御部１１１は、異常がないと判定する場合（ステップＳ１２１；Ｎ）、処理を終了する。ステップＳ１２２において、制御部１１１は、異常領域を特定する。例えば、読取画像データを構成するそれぞれの画素値と、ラスターデータを構成するそれぞれの画素値との差分が、予め設定された値以上であると判定する場合、異常であると判定するので、画像中におけるそのような画素の出現箇所を抽出することで異常と判定した領域を検出し、画像中における異常領域を特定すればよい。
【００４６】
ステップＳ１２３において、制御部１１１は、特定した異常領域が一定サイズ範囲を超えるか否かを判定する。制御部１１１は、特定した異常領域が一定サイズ範囲を超えると判定する場合（ステップＳ１２３；Ｙ）、ステップＳ１３０の処理に移行する。制御部１１１は、特定した異常領域が一定サイズ範囲を超えないと判定する場合（ステップＳ１２３；Ｎ）、ステップＳ１２４の処理に移行する。ステップＳ１２４において、制御部１１１は、特定した異常領域が一定数以上であるか否かを判定する。制御部１１１は、特定した異常領域が一定数以上であると判定する場合（ステップＳ１２４；Ｙ）、ステップＳ１３０の処理に移行する。制御部１１１は、特定した異常領域が一定数未満であると判定する場合（ステップＳ１２４；Ｎ）、ステップＳ１２５の処理に移行する。ステップＳ１２５において、制御部１１１は、特定した異常領域の読取画像データとラスターデータとの画像特徴量の差異が一定値以上であるか否かを判定する。制御部１１１は、特定した異常領域の読取画像データとラスターデータとの画像特徴量の差異が一定値以上であると判定する場合（ステップＳ１２５；Ｙ）、ステップＳ１３０の処理に移行する。制御部１１１は、特定した異常領域の読取画像データとラスターデータとの画像特徴量の差異が一定値未満であると判定する場合（ステップＳ１２５；Ｎ）、ステップＳ１２６の処理に移行する。
【００４７】
ステップＳ１２６において、制御部１１１は、特定した異常領域の読取画像データとラスターデータとの画像特徴量の差異に基づき、補正情報を補正して二次補正情報を求める。ステップＳ１２７において、制御部１１１は、二次補正情報に基づき、特定した異常領域に対応する画像の読取結果となる補正前読取画像データを補正して二次読取画像データとして保存する。ステップＳ１２８において、制御部１１１は、異常領域のラスターデータと二次読取画像データとを比較する。ステップＳ１２９において、制御部１１１は、異常があるか否かを判定する。制御部１１１は、異常があると判定する場合（ステップＳ１２９；Ｙ）、ステップＳ１３０の処理に移行する。制御部１１１は、異常がないと判定する場合（ステップＳ１２９；Ｎ）、処理を終了する。ステップＳ１３０において、制御部１１１は、ＮＧ通知を行い、処理を終了する。
【００４８】
以上の説明から、実施形態５においては、制御部１１１は、用紙に形成された画像の印刷状態に異常があると判定する場合、異常領域における読取画像データとラスターデータとの画像特徴量の差異に基づき、補正情報を補正して二次補正情報を求める。よって、異常と判定された異常領域が補正処理の不具合によるものであるか否かを確認することができる。したがって、ヤレの誤検知を低減させることができる。
【００４９】
また、実施形態５において、制御部１１１は、異常領域におけるラスターデータと、二次補正情報に基づき読取画像データを補正した二次読取画像データとを比較する。よって、異常と判定された異常領域に二次補正情報に基づく補正処理を実行したものを比較している。したがって、最初に利用した補正情報に誤りがあるか否かを特定することができる。
【００５０】
また、実施形態５において、制御部１１１は、異常領域が一定サイズ範囲を超える、異常領域が一定数以上である、及び異常領域における読取画像データとラスターデータとの画像特徴量の差異が一定値以上である、の少なくとも１つを満たす場合、用紙に形成された画像の印刷状態に異常があると決定する。よって、判定された異常領域が補正処理の不具合に該当しない条件であるか否かを判定することができる。したがって、判定された異常領域が補正処理の不具合によるものでないと判定することにより、ヤレの判定結果をヤレであると決定することができるため、ヤレの判定結果の信頼性を向上させることができる。
【００５１】
以上、本開示を適用した画像形成装置１を実施形態に基づいて説明したが、本開示はこれに限定されるものではなく、本開示の趣旨を逸脱しない範囲で、変更を加えてもよい。
【００５２】
例えば、実施形態１においては、画像形成装置本体５と、クライアントＰＣ２との間の通信回線３が有線である一例について図１に図示しているが、無線であってもよい。また、図１においては、１台の画像形成装置本体５と、１台のクライアントＰＣ２とを含むネットワーク構成の一例を示すが、これに限定されない。例えば、画像形成装置本体５が複数台となるネットワーク構成、クライアントＰＣ２が複数台となるネットワーク構成、複数台の画像形成装置本体５と、複数台のクライアントＰＣ２とを含むネットワーク構成であってもよい。また、端末装置は、クライアントＰＣ２に限定されない。
【００５３】
また、実施形態１においては、画像形成装置１が、画像形成装置本体５と、画像読取装置７と、後処理装置９とを備える一例について説明したが、特にこれに限定されない。例えば、画像形成装置１は、後処理装置９を備えずに、画像形成装置本体５と、画像読取装置７とを備えるものであってもよい。また、画像形成装置１は、後処理装置９及び画像読取装置７を備えず、画像形成装置本体５と、読取部１１とを備えるものであってもよい。
【００５４】
また、実施形態１においては、画像読取装置７が、画像読取部７６及び測色計７８を備える一例について説明したが、特にこれに限定されない。例えば、画像読取装置７は、測色計７８を備えず、画像読取部７６を備える構成であってもよい。
【００５５】
また、実施形態１，２においては、画像読取部７６が用紙に形成された画像を読み取る一例について説明したが、特にこれに限定されない。画像形成装置本体５の上部に設けられている読取部１１が用紙に形成された画像を読み取るものであってもよい。また、制御部１０１が画像形成装置本体５を制御し、制御部１１１が画像読取装置７を制御する一例について説明したが、特にこれに限定されない。制御部１０１が画像形成装置本体５だけでなく画像読取装置７を制御してもよい。制御部１１１が画像読取装置７だけでなく画像形成装置本体５を制御してもよい。不図示のサーバーが画像形成装置本体５及び画像読取装置７を遠隔制御してもよい。
【符号の説明】
【００５６】
１  画像形成装置
２  クライアントＰＣ、３  通信回線
５  画像形成装置本体、７  画像読取装置、９  後処理装置
１１  読取部、１１Ａ  ＡＤＦ、１１Ｂ  原稿読取部、１３  原稿トレイ
１５  通紙経路、１７  排紙トレイ、２１  密着型イメージセンサー
２３  濃度基準部材
２５  原稿照明部、２５Ａ  ランプ、２５Ｂ  ミラー、２６  反射ミラー
２７  集光レンズ、２８  センサー、２９  プラテンガラス
４１  画像形成部、４３  定着部、４５  給紙部
５１  露光装置、５３  現像装置、５５  感光ドラム、５７  転写ベルト
７１  搬送経路、７２  搬送部、７４，７４Ａ〜７４Ｃ  背景部材
７６，７６Ａ，７６Ｂ  画像読取部、７８  測色計
１０１，１１１  制御部
２０１  受信部、２１１  ラスター画像生成部、２１２  画像処理部
２２１  画像処理情報取得部、２２２  演算部、２２３  画像処理部
２２４  画像比較部、２３１  通知部
２４１  画像処理情報取得部、２４２  演算部、２４３  予測画像処理部
【図１】
2019095476.tif 000003
【図２】
2019095476.tif 000004
【図３】
2019095476.tif 000005
【図４】
2019095476.tif 000006
【図５】
2019095476.tif 000007
【図６】
2019095476.tif 000008
【図７】
2019095476.tif 000009
【図８】
2019095476.tif 000010